(57)【要約】【課題】煩雑な操作を要することなく裏セット盤を開放保持でき、遊技盤の後面や裏セット盤の前面の保守作業等を容易に行い得る開放保持機構を提供する。【解決手段】固定保持用の外枠１０に横開き開閉可能に組み付けられた前枠２０と、この前枠に後方に横開き開閉可能に組み付けられた裏セット盤４０とを備えた遊技機において、前枠２０が開放され裏セット盤４０が前枠の後方に開放された状態で上下方向にかみ合い係合可能な外枠側の係止部材と裏セット盤側の被係止部材とからなる係合連結構造７０を設け、前枠開放状態で裏セット盤を外枠１０の方向に押圧したときに、被係止部材が係止部材に対して相対移動して上下にかみ合い係合し、裏セット盤４０が開放姿勢に係止保持されるように開放保持機構を構成する。【選択図】  図４
2004344207.tif 000002
【特許請求の範囲】
【請求項１】
固定保持用の外枠と、前記外枠に前方に横開き開閉可能に組み付けられた前枠と、前面側に遊技領域を有し前記前枠に収容保持された遊技盤と、前記前枠に後方に横開き開閉可能に組み付けられ遊技提供時に前記遊技盤の後面側を覆って閉止保持される裏セット盤とを備えた遊技機において、
前記外枠および前記裏セット盤には、前記前枠が前記外枠の前方に開放され前記裏セット盤が前記前枠の後方に開放された状態で上下方向にかみ合い係合可能な外枠側の係止部材と裏セット盤側の被係止部材とからなる係合連結構造を有し、
前記係合連結構造は、前記前枠が前記外枠の前方に開放され前記裏セット盤が前記前枠の後方に開放された状態で、前記裏セット盤を前記外枠に向けて押圧したときに前記被係止部材が前記係止部材に対して相対移動して上下にかみ合い係合し、前記裏セット盤が開放姿勢に係止保持されるように構成したことを特徴とする遊技機の開放保持機構。
【発明の詳細な説明】
【０００１】
【発明の属する技術分野】
本発明は、固定保持用の外枠に横開き開閉可能に組み付けられた前枠と、この前枠に収容保持された遊技盤と、前枠に後方に横開き開閉可能に組み付けられた裏セット盤とを備えた遊技機に関し、なお詳細には遊技盤の保守点検等に好適な遊技機の開放保持機構に関する。
【０００２】
【従来の技術】
上記のような外枠、前枠、遊技盤および裏セット盤を備えた遊技機として、パチンコ機やアレンジボール機、雀球機などが広く知られている。この種の遊技機の代表例とされるパチンコ機では、遊技施設の遊技島に固定される固定保持用の外枠に開閉搭載枠たる前枠が横開き開閉可能に取り付けられ、この前枠に前面側に遊技領域を有する遊技盤が着脱可能に収容保持され、遊技盤の前方を覆うガラス窓を通して遊技領域を遊技者に臨ませている。なお前枠に対する遊技盤の収容形態には、遊技盤を前枠の前面側から着脱する遊技盤前方脱着と、前枠の後面側から着脱する遊技盤後方脱着の二つの形態があり、いずれかの形態が採用されている。遊技盤の後方には、遊技盤から排出されるアウト球やセーフ球等の遊技済み球を処理する処理機構や、遊技盤におけ入賞状態に応じて遊技球を払い出す賞球機構等を備えた裏セット盤（裏機構盤とも称される）が遊技盤の後面側を覆って設けられている。
【０００３】
ここで、遊技盤の後面側には各入賞具に入賞した遊技球を検出する入賞検出器や電動入賞具を開閉させる電磁石、大入賞口を開閉させるソレノイドなど各種の電気部品があり、また裏セット盤の前面側には遊技済み球の処理通路や球抜き通路など複数の球通路が形成されている。このため、上記した遊技盤の収容形態の如何に拘わらず、遊技盤の後面側および裏セット盤の前面側に対して保守点検や球通路の清掃作業を行う必要がある。また遊技盤後方脱着形態のパチンコ機では遊技盤の着脱を前枠の後面側から行う必要がある。このため、裏セット盤は、一般に前枠と裏セット盤の互いの一側縁上下に固定された前枠側ヒンジ金具および裏セット盤側ヒンジ金具の軸ピンと軸孔との嵌合いヒンジ機構により横開き開閉および着脱が可能に組み付けられており、前枠を外枠の前方に開放した状態で裏セット盤を前枠の後方に開放して上記各部の保守点検や清掃作業を行えるように構成されている。
【０００４】
ところが、後方に開放された裏セット盤は、上下のヒンジ機構により片持ち支持されて自由に揺動し得る状態であり、遊技島に微少な後傾角度姿勢で固定された外枠の設置傾き角度（一般に１度以下の後傾角度）により、辛うじて外枠側に付勢されているにすぎない。このため、遊技盤の後面側の保守作業中に閉鎖方向に揺動してきたり、裏セット盤自体の保守作業中に前後に揺動したりして煩わしいという問題があった。
【０００５】
そこで、このような問題を解決して作業性を改善するため、先端にフック状のアーム部を有するレバー部材を外枠の内側上部に上下方向に回動自在に設け、裏セット盤を開放したときに、アーム部を裏セット盤上部の玉タンク（球貯留タンク）の壁面に掛止させて裏セット盤を開放状態に保持させる裏セット盤の開放保持機構が提案されている（例えば、特許文献１を参照）。
【０００６】
【特許文献１】
特開２００２−２９２０６３号公報（第１０頁、第１７，１８図）
【０００７】
【発明が解決しようとする課題】
確かに、上記特許文献１に提案されたような裏セット盤の開放保持機構によれば、裏セット盤を開放させた状態に保持させることができ、これにより上記問題とされた作業性を改善することができる。しかしながら、提案された開放保持機構では、裏セット盤を開放保持させるための操作が未だ煩雑であるという課題があった。すなわち、上記開放保持機構を利用して裏セット盤を開放保持させるには、一旦レバー部材を回動させてアーム部を球貯留タンクの上方に待避させ、当該待避位置にアーム部を支持したまま球貯留タンクの壁面が外枠の前端面に当接するまで裏セット盤を開放し、その開放位置でレバー部材を回動させて上方に待避させていたアーム部を下動させ、アーム部を球貯留タンクの縁にフックさせて掛止する、という開放保持させるための操作が必要であった。
【０００８】
また、これらの操作位置がパチンコ機の上端近くにあるため背の低い作業者には操作を行いにくい場所であるうえ、球貯留タンクと外枠との隙間に指を差し入れて上記開放保持操作を行い、あるいは作業終了後にアーム部の掛止を解除させる解除操作が案外苦労のいる作業であるという課題もあった。
【０００９】
本発明は、上記のような従来技術の問題や提案技術の課題を解決するためになされたものであり、煩雑な操作を要することなく裏セット盤を開放保持でき、遊技盤の後面各部および裏セット盤の前面各部の保守点検や清掃作業を容易に行える遊技機の開放保持機構を提供することを目的とする。
【００１０】
【課題を解決するための手段】
上記目的達成のため、本発明は、固定保持用の外枠と、外枠に前方に横開き開閉可能に組み付けられた前枠と、前面側に遊技領域を有し前枠に収容保持された遊技盤と、前枠に後方に横開き開閉可能に組み付けられ遊技提供時に遊技盤の後面側を覆って閉止保持される裏セット盤とを備えた遊技機において、外枠および裏セット盤に、前枠が外枠の前方に開放され裏セット盤が前枠の後方に開放された状態で上下方向にかみ合い係合可能な外枠側の係止部材と裏セット盤側の被係止部材とからなる係合連結構造を設けて開放保持機構を構成する。この係合連結構造は、前枠が外枠の前方に開放され裏セット盤が前枠の後方に開放された状態で、裏セット盤を外枠に向けて押圧したときに被係止部材が係止部材に対して相対移動して上下にかみ合い係合し、裏セット盤が開放姿勢に係止保持されるように構成される。
【００１１】
上記開放保持機構では、前枠が外枠の前方に開放され裏セット盤が前枠の後方に開放された状態で上下方向にかみ合い係合可能な外枠側の係止部材と裏セット盤側の被係止部材とからなる係合連結構造が設けられており、前枠を外枠の前方に引き出して開放した状態で、裏セット盤を後方に開放したときに被係止部材と係止部材とがかみ合い係合して裏セット盤が開放姿勢に係止保持される。このため、開放された裏セット盤が遊技盤の後面側の保守作業中に閉鎖方向に揺動してきたり、裏セット盤自体の保守作業中に前後に揺動したりすることがなく、裏セット盤の自由揺動に起因する従来の問題を解決することができる。
【００１２】
また、本発明の開放保持機構では、前枠開放状態で裏セット盤を前枠の後方に開放させ、裏セット盤を外枠に向けて押圧したときに裏セット盤側の被係止部材が外枠側の係止部材に対して相対移動して上下にかみ合い係合し、これにより裏セット盤が自動的に開放姿勢に係止保持される。従って、裏セット盤を開放保持させるために、作業を行い難い高所の裏セット盤と外枠との隙間に指を差し入れたりレバー操作したり等の煩雑な操作を行う必要がなく、裏セット盤を簡単に開放姿勢に保持させることができる。また、作業終了後に開放保持状態を解除するには、裏セット盤の係合部位側を係合姿勢と上下反対方向に軽く押圧して（持ち上げまたは押し下げて）係止部材に対する被係止部材のかみ合い係合を解除させ、裏セット盤を前方に引き出して揺動させればよい。このため、開放保持操作や開放保持解除操作を容易化して前述した作業性に関する課題を解決することができる。
【００１３】
従って、本構成の開放保持機構によれば、煩雑な操作を要することなく裏セット盤を開放保持でき、遊技盤の後面各部および裏セット盤の前面各部の保守点検や清掃作業を容易に行える遊技機の開放保持機構を提供することができる。
【００１４】
【発明の実施の形態】
以下、本発明の好ましい実施形態について添付図面を参照しながら説明する。本発明に係る開放保持機構を備えた遊技機の一例として、図１にパチンコ機ＰＭの正面図を、図２にパチンコ機ＰＭの背面図を、図３に外枠を取り外して裏セット盤を開放した状態におけるパチンコ機ＰＭの背面図を示しており、まずこれらの図面を参照してパチンコ機ＰＭの全体概要について説明する。
【００１５】
パチンコ機ＰＭは、外郭方形枠サイズに構成された固定保持用の外枠１０の前面側に、この外枠１０の前側開口面域に合わせた方形枠サイズに構成された開閉搭載用の前枠２０が互いの正面左側上下に配設されたヒンジ機構３Ｕ，３Ｌで前方に横開き開閉および着脱が可能に取り付けられ、正面右側に設けられた施錠装置４を利用して常には外枠１０と係合された閉鎖状態に保持される。外枠１０は木材や樹脂材等で成形加工された上下の枠板１１，１４および左右の枠板１２，１３を直角に枠組み連結すると共に、各隅角部に補強金具を固定して構成される。
【００１６】
前枠２０の前面側上部には、前枠２０の前側面域に合わせた方形状のガラス扉５および上球皿６が前方に横開き開閉および着脱可能に取り付けられ、その下方には遊技球を貯留する下球皿７および遊技球の発射操作を行う発射ハンドル８が取り付けられている。一方、前枠２０の後面側上部には、ガラス扉５の背後に位置して遊技盤３０を収容保持する収容枠２１が設けられている。なお、収容枠には遊技盤３０を前枠２０の前面側から収容するタイプと後面側から収容するタイプがあり、また収容枠２１を前枠２０に一体に形成したタイプと別体で形成したタイプがあるが、本実施例では遊技盤３０を前枠２０の後面側から収容する収容枠２１を前枠２０と一体に樹脂成型したタイプを示す。
【００１７】
遊技盤３０は、基板となる化粧板（ベニヤとも称される）３１の前面側に内外の案内レールに囲まれて略円形の遊技領域ＰＡが区画形成され、その内側に多数本の遊技釘や各種入賞具３４、画像表示装置３５等が所定のゲージ設定に基づいて配設されている。遊技領域ＰＡの下端にはこの領域を入賞せずに落下した遊技球を化粧板３１の裏面側に排出するアウト口３７が設けられている。
【００１８】
遊技盤３０は、収容枠２１および遊技盤３０の背面視左側の上下に設けられたヒンジ機構５０Ｕ，５０Ｌにより前枠２０の後方に横開き開閉および着脱が可能に支持され、収容枠１０の周辺各部に設けられた複数の閉鎖クランプ２３，２３…により収容枠２１に収容された閉鎖状態で係止保持され、常には前枠前面側のガラス扉５に遊技領域ＰＡを臨ませている。前枠２０の後面側下部には、発射ハンドル８の回動操作に基づいて遊技球を発射する遊技球発射装置９が設けられている。
【００１９】
遊技盤３０の後方に位置して裏セット盤４０が配設される。裏セット盤４０には、上面開放の箱状に形成されて遊技球を貯留する球貯留タンク４１、球貯留タンク４１から供給された遊技球を整列させて流下させるタンクレール４２、整列待機された遊技球を所定の入賞状態に基づいて遊技球を払い出す球払出装置４４、球払出装置から払い出された遊技球を上下の球皿６，７に導く球払出通路４５などの賞球機構、および遊技盤３０から裏面側に排出されたアウト球およびセーフ球を遊技施設側の回収バケットに流下させる遊技済み球排出通路４６が設けられている。また裏セット盤４０の後面側には電源基盤や主制御基板、払出制御基板などの各種回路基盤が取り付けられ、これらの回路基板と電気・電子部品とが配線接続されて遊技可能に構成される。
【００２０】
裏セット盤４０は、前枠２０および裏セット盤４０の背面視右側の上下に設けられたヒンジ機構６０Ｕ，６０Ｌにより前枠２の後方に横開き開閉および着脱が可能に取り付けられ、裏セット盤４０の周縁各部に設けられた複数のロックレバー２５，２５…を利用して常には遊技盤３０の後面側を覆って閉鎖保持される。
【００２１】
さて、以上のように概要構成されるパチンコ機ＰＭにあって、外枠１０および裏セット盤４０には、前枠２０が外枠１０の前方に開放され裏セット盤４０が前枠２０の後方に開放された状態で、上下方向にかみ合い係合可能な外枠側の係止部材７１と裏セット盤側の被係止部材７２とからなる係合連結構造７０が設けられており、これにより裏セット盤４０を開放状態で保持する開放保持機構ＯＳが構成される。以下、図４〜図１２の各図を参照して第１実施例の開放保持機構ＯＳ１について説明する。
【００２２】
ここで、図４〜図１２の各図について概要説明すると、図４は開放保持機構ＯＳ１により裏セット盤４０を開放保持した状態のパチンコ機の平面図、図５は裏セット盤４０を開放した状態におけるヒンジ機構６０（６０Ｕ，６０Ｌ）の背面図、図６は裏セット盤４０を閉鎖した状態におけるヒンジ機構６０の平面図、図７は裏セット盤４０を開放して前枠方向にスライドさせた状態におけるヒンジ機構６０の平面図、図８（ａ）（ｂ）はそれぞれ図６および図７におけるヒンジ機構６０の位置状態を拡大して示す平面図である。
【００２３】
また、図９は係合連結構造７０を斜め前方から見た斜視図、図１０は裏セット盤４０を開放保持状態にしたときの球貯留タンク４１の高さ位置から見た係合連結構造７０の平面図、図１１は裏セット盤４０を開放保持状態にしたときの係合連結構造７０の高さ位置の平面断面図、図１２は係合連結構造７０の係合過程を示す側面図である。
【００２４】
まず、上下のヒンジ機構６０Ｕ，６０Ｌは、それぞれ前枠２０の後面側にネジ固定された前枠側ヒンジ金具６１，６１と、裏セット盤３０の前面側にネジ固定された裏セット盤側ヒンジ金具６２，６２とからなり、全体としては、前枠側ヒンジ金具６１と裏セット盤側ヒンジ金具６２との嵌合によるヒンジ機構である。
【００２５】
前枠側ヒンジ金具６１は、上下に延びる帯板状の固定フランジ部６１ａと、この固定フランジ部の下部が直角に折り曲げられて後方に水平に延びるヒンジプレート部６１ｂとを有し、ヒンジプレート部６１ｂには上方に突出して先端テーパ状の軸ピン６１ｃがカシメ固着されている。固定フランジ部６１ａには、前枠２０のヒンジ金具取付部に後方に突出成形された位置決め突起６３ｄと嵌脱可能な位置決めピン孔６１ｄが形成されるとともに、その上下にサラ穴形態のネジ挿通孔が形成されている。
【００２６】
前枠側ヒンジ金具６１は、例えば板厚２．３ｍｍ程度の冷間圧延鋼板をプレス成型等により図示する所定形状に打ち抜きおよび曲げ成形し、軸ピン６１ｃをヒンジプレート部６１ｂにカシメ固着した後、ユニクロメッキ等の所要の表面処理を施して形成される。そして、固定フランジ部６１ａに形成されたピン穴６１ｄをヒンジ金具取付部の位置決め突起６３ｄに嵌合させて位置決めし、上下のネジ挿通孔にサラ小ネジ６８を挿通させて前枠側のネジ受容孔に締め込むことにより、前枠２０の上下の設定基準位置に固定される。
【００２７】
一方、裏セット盤側ヒンジ金具６２は、上下に延びる帯板状の固定フランジ部６２ａと、この固定フランジ部６２ａの下部が直角に折り曲げられて前方に水平に延びるヒンジプレート部６２ｂとを有し、ヒンジプレート部６２ｂには軸ピン６１ｃの軸外径よりもわずかに大きめの溝幅で固定フランジ部６２ａの支持面と平行に延びる長孔状のピン係合溝６２ｃが形成されている。裏セット盤３０のヒンジ金具取付部には、固定フランジ部６２ａの外周を取り囲むように係合して裏セット盤側ヒンジ金具６２を位置決めする位置決めリブ６４ａおよびネジを受容する円筒状のネジボス６４ｂが形成される一方、固定フランジ部６２ａにはこのように位置決めされたときに裏セット盤側のネジボスと位置整合するサラ穴形態のネジ挿通孔が形成されている。
【００２８】
裏セット盤側ヒンジ金具６２は、前枠側ヒンジ金具６１と同様に、例えば板厚２．３ｍｍ程度の冷間圧延鋼板をプレス成型等により図示する所定形状に打ち抜きおよび曲げ成形した後、ユニクロメッキ等の所要の表面処理を施して形成される。そして、固定フランジ部６２ａを位置決めリブ６４ａに係合させて位置決めしネジ挿通孔にサラ小ネジ６８をねじ込んで締め込むことにより、裏セット盤３０の上下の設定位置に固定される。
【００２９】
そして上下の裏セット盤側ヒンジ金具６２，６２のピン係合溝６２ｃ，６２ｃを各々対応する前枠側ヒンジ金具６１，６１の軸ピン６１ｃ，６１ｃに係合させることで、上下のヒンジ金具が相互に係合連結され、上下のヒンジ機構６０Ｕ，６０Ｌが形成される。ここで、図５に示すように、上下の裏セット盤側ヒンジ金具６２，６２の取着間隔は、上下の前枠側ヒンジ金具６１，６１の取着間隔よりも幾分狭く（下側の裏セット盤側ヒンジ金具６２の取着位置が幾分上方に）設定されている。このため、上下のヒンジ金具を相互連結させる際に、まず上方のヒンジ機構６０Ｕに注目して軸ピン６１ｃにピン係合溝６２ｃを係合させ、次いで下方のヒンジ機構６０Ｌに注目して軸ピン６１ｃにピン係合溝６２ｃを係合させることで、１箇所ずつ容易に係合させることができるようになっている。
【００３０】
こうして、上下の前枠側ヒンジ金具６１，６１と裏セット盤側ヒンジ金具６２，６２とが係合連結されると、裏セット盤４０はこれら上下のヒンジ機構６０Ｕ，６０Ｌにより前枠２０の後面側に横開き開閉可能に支持される。また一方で、このヒンジ機構６０Ｕ，６０Ｌでは、軸ピン６１ｃと係合するピン係合溝６２ｃが長孔状に形成されており、裏セット盤４０はピン係合溝６２ｃの延びる方向にこの溝の有効長さ分だけ移動させることができる。
【００３１】
このため、図６および図８（ａ）に示す軸ピン６１ｃとピン係合溝６２ｃとの係合位置（以下、便宜的に「溝先端位置」という）で、裏セット盤４０を任意の開放角度に開閉しまた閉鎖保持させることができるほか、裏セット盤４０を開放させた状態で、裏セット盤４０をヒンジ金具側に押圧して裏セット盤４０を前枠２０の前面方向にスライド移動させ、軸ピン６１ｃに対するピン係合溝６２ｃの係合位置を図７および図８（ｂ）に示す係合位置（同様に「溝基端位置」という）に変化させて、裏セット盤４０の揺動半径を低減させた状態で裏セット盤４０を開閉させることもできる。
【００３２】
一方、外枠１０における反ヒンジ側の枠板、すなわち正面右側の右枠板１３には、このように揺動半径が低減された裏セット盤４０の右枠杆４７の揺動軌跡に合わせて、裏セット盤４０を受容するための受容切り欠き部１３ｂが形成されている。
【００３３】
このため、前枠２０を外枠１０の前方に開放し、裏セット盤４０を前枠２０の後方に開いて上下ヒンジ金具の係合位置を溝基端位置に変化させ、裏セット盤４０を外枠１０に向けて開放すると、裏セット盤４０が右枠板１３に当接することなく枠内に進入し、従来、前枠２０を開放させた状態では収容困難とされた裏セット盤４０の大部分を外枠１０の枠内に収容させることができる。
【００３４】
さて、このように開放される裏セット盤４０および外枠１０に、裏セット盤４０が開放された状態で、上下方向にかみ合い係合可能な外枠側の係止部材７１と裏セット盤側の被係止部材７２とからなる係合連結構造７０が設けられている。
【００３５】
この係合連結構造７０における係止部材７１は、図９および図１１に示すように、ネジ部７１ａ、円盤状のフランジ部７１ｂ、およびネジ部７１ａとフランジ部７１ｂとの間を繋ぐ係合軸部７１ｃを有して、全体として平頭ないしトラス頭の木ネジ状をなし、金属線材を旋削ないし転造して形成される。係止部材７１が取り付けられる切り欠き部１３ｂの所定位置には、ネジ部７１ａを導入するための下穴が予め穿設されている。
【００３６】
係止部材７１は、フランジ部７１ｂをチャックして回動させる自動打ち込み機により上記下穴にねじ込まれ、フランジ部７１ｂの座面と切り欠き部１３ｂの表面との間に係合軸部７１ｃを視認可能な一定間隔（例えば被係止部材７２の板厚の２〜３倍程度の間隔）をおいた打ち込み高さに固定される。なお、フランジ部７１ｂに六角穴や十字スリ割り等の工具係合部を設けて手動で打ち込むように構成してもよい。
【００３７】
被係止部材７２は、サラ穴形態のネジ挿通孔を有して矩形平板状のベース部７２ａ、ベース部７２ａの右側縁が直角に折り曲げられて後方に突出するフックプレート部７２ｂ、フックプレート部７２ｂに下方に開いて形成された係止溝７２ｃ、フックプレート部７２ｂの後端部と係止溝７２ｃとの間に下向き斜面状に形成されたガイド縁面７２ｄなどからなり、例えば板厚１〜１．６ｍｍ程度の冷間圧延鋼板をプレス成型等により図示する形状に打ち抜きおよび曲げ成形し、ユニクロメッキ等の所要の表面処理を施して形成される。
【００３８】
一方、係止部材７１の取着位置と整合する裏セット盤４０の右枠杆４７の後面側には、被係止部材７２の板厚およびベース部７２ａの形状に合わせたザグリ部が形成されるとともに、その後方にネジを受容するネジボス４７ａが一体成型されている。被係止部材７２は、裏セット盤４０の右枠杆４７のザグリ部にベース部７２ａを嵌合させて位置決めし、上下のネジ挿通孔にサラ小ネジ７８を通してネジボス４７ａにねじ込むことで右枠杆４７に固定される。
【００３９】
ここで、係止溝７２ｃの溝幅は、係止部材７１における係合軸部７１ｃの軸径と同一若しくはこれよりわずかに大きめに設定され、また係止溝７２ｃの上端の高さ位置は、係合軸部７１ｃが係止溝７２ｃの上端部と係合したときに、この係合連結構造７０と他側縁側のヒンジ機構６０とで、裏セット盤４０が左右水平に支持される高さ位置に設定されている。
【００４０】
また前述したように、右枠板１３に形成された切り欠き部１３ｂは、上下のヒンジ金具の係合位置を溝基端位置に変位させた状態で、裏セット盤４０を外枠１０方向に開放したときの裏セット盤４０の右枠杆４７の揺動軌跡に合わせて切り欠かれており、上記のように裏セット盤４０を外枠１０の内方に揺動させたときに、被係止部材７２のフックプレート部７２ｂが切り欠き部１３ｂの内面に沿うように枠内に進入する。一方、裏セット盤４０を開放した状態では、裏セット盤４０は上下のヒンジ機構６０Ｕ，６０Ｌにより片持ち支持された状態にあり、裏セット盤４０の荷重に伴うヒンジ金具の撓みにより右枠杆４７側がわずかに下傾した状態でフックプレート部７２ｂが枠内に進入する。
【００４１】
このため、裏セット盤４０を外枠１０の内方に揺動させると、被係止部材７２は、図１２（ａ）に示すように、まずフックプレート部前方の下向きのガイド縁面７２ｄが係合軸部７１ｃの外周面に当接する。そこで、裏セット盤４０を外枠１０の枠内に向けて押圧すると、ガイド縁面７２ｄが係合軸部７１ｃに乗り上げるように係合して滑り、裏セット盤４０の右枠杆側をわずかに上動させながら外枠内に移動する。そして、ガイド縁面７２ｄの端部が係合軸部７１ｃの上端を越えると、今度は係止溝７２ｃの溝面が係合軸部７１ｃと係合し、裏セット盤４０が引き込まれるように揺動して係合軸部７１ｃと係止溝７２ｃの上端部とがかみ合い係合する。
【００４２】
こうして係止部材７１と被係止部材７２とが上下にかみ合い係合すると、係合軸部７１ｃと係止溝７２ｃとの係合によって裏セット盤４０が前後方向に係止され、またフックプレート部７２ｂがフランジ部７１ｂと切り欠き部１３ｂとの間に挟持されて左右方向に係止される。これにより、裏セット盤４０は、この裏セット盤４０の大部分が外枠１０の枠内に収容された状態で前後および左右の両方向に移動が規制され、図４に示す開放姿勢に係止保持される。
【００４３】
このため、例えば遊技盤３０における各種入賞具の調整や入賞検出センサの交換作業など遊技盤後面側の保守作業、裏セット盤４０における遊技済み球排出通路４６の清掃作業など裏セット盤前面側の保守作業、あるいは遊技盤の着脱作業等を、裏セット盤４０が閉鎖方向に揺動してこない安定した開放姿勢で行うことができる。また、本構成の開放保持機構ＯＳ１では、裏セット盤の大部分が外枠１０の枠内に収容されて開放保持されるため、遊技盤３０の後面と裏セット盤４０の前面との間に広い作業スペースを確保することができ、上記各保守作業等を余裕を持って容易に行うことができる。
【００４４】
一方、保守作業の終了後に裏セット盤４０の開放姿勢を解除するには、裏セット盤４０の右側部分を軽く持ち上げて被係止部材７２を上動させ、係止溝７２ｃと係合軸部７１ｃとのかみ合い係合を解除させて、裏セット盤４０を手前に引き出せばよい。そして適当な開放角度位置で上下のヒンジ金具を先端側係合位置に変位させて揺動閉止させ、あとはロックレバー２５を回動してロック操作することで裏セット盤４０が閉鎖姿勢に保持される。
【００４５】
従って、以上説明したような開放保持機構ＯＳ１を備えたパチンコ機ＰＭでは、裏セット盤４０を外枠１０の内方に押圧することで裏セット盤４０を開放保持させることができ、また、開放姿勢の裏セット盤４０を軽く持ち上げて前方に引き出すことで開放保持状態を解除することができる。このため、裏セット盤４０を開放保持および解除させるために裏セット盤４０と外枠１０との隙間に指を差し入れたりレバー操作したり等の煩雑な操作を行う必要がなく、作業性が良好な開放保持機構を提供することができる。
【００４６】
以上では、上下方向にかみ合い係合可能な外枠側の係止部材と裏セット盤側の被係止部材の構成例として、外枠１０側の係止部材７１に係合軸部７１ｃを設け、裏セット盤４０側の被係止部材７２に係止溝７２ｃを設けて、係止溝７２ｃが移動して係合軸部７１ｃにかみ合い係合する形態を例示したが、これらの軸部と溝部の配設位置関係を逆に構成してもよい。図１３および図１４には、このように軸部と溝部の配設位置を逆にした外枠側の係止部材１７１と裏セット盤４０側の被係止部材１７２とからなる係合連結構造１７０を示しており、以下、両図を参照しながらこの係合連結構造１７０について説明する。なお、図１３は図９に対応して係合連結構造１７０を斜め前方から見た斜視図、図１４は図１２に対応して係合連結構造１７０の係合過程を示す側面図である。また係合連結構造以外の各部の構成は既述したパチンコ機と同様であるため重複説明は省略する。
【００４７】
係止部材１７１は、平面視クランク状に折り曲げられた板状体からなり、右枠板の切り欠き部１３ｂにネジ固定される固定脚部１７１ａ、固定脚部１７１ａと平行にオフセット成形されて前方に延びるフックプレート部１７１ｂ、フックプレート部１７１ｂに上方に開いて形成された係止溝１７１ｃ、フックプレート部１７１ｂの前端部と係止溝１７１ｃとの間に上向き斜面状に形成されたガイド縁面１７１ｄなどからなり、例えば板厚１〜１．６ｍｍ程度の冷間圧延鋼板をプレス成型等により図示する形状に打ち抜きおよび曲げ成形し、ユニクロメッキ等の所要の表面処理を施して形成される。
【００４８】
係止部材１７１は、固定脚部１７１ａに形成されたネジ挿通孔にネジ１７７を挿通してねじ込むことで切り欠き部１３ｂの所定位置にネジ固定され、フックプレート部１７１ｂと切り欠き部１３ｂの表面との間に、被係止部材１７２の支軸プレート部１７２ｂを受容可能な間隔（固定脚部とフックプレート部とのオフセット寸法であり、例えば被係止部材１７２の板厚の２〜４倍程度の間隔とされる）が形成される。
【００４９】
被係止部材１７２は、サラ穴形態のネジ挿通孔を有して矩形平板状のベース部１７２ａ、ベース部１７２ａの右側縁が直角に折り曲げられて後方に突出する支軸プレート部１７２ｂ、支軸プレート部１７２ｂに固着されて水平内向きに突出する係合軸部１７２ｃなどからなり、係止部材１７１と同様の金属材を加工成形して係合軸部をカシメ固着し所要の表面処理を施して形成される。裏セット盤の右枠杆４７には、既述した被係止部材７２の取付部と同様にザグリ部およびネジボスが一体成型されており、被係止部材１７２は右枠杆４７に位置決めされてサラ小ネジ７８によりネジ固定される。
【００５０】
ここで、係止溝１７１ｃと係合軸部１７２ｃとの関係では、係止溝１７１ｃの溝幅が係合軸部１７２ｃの軸径と同一若しくはわずかに大きめに設定され、係止溝１７１ｃの下端位置および係合軸部１７２ｃの高さ位置は、係合軸部１７２ｃが係止溝１７１ｃの下端部に係合したときに、係合連結構造１７０と他側縁側のヒンジ機構６０とで、裏セット盤４０が左右水平に支持される高さ位置に設定されている。
【００５１】
また前述したように、右枠板１３に形成された切り欠き部１３ｂは、上下のヒンジ金具を溝基端位置に係合させて裏セット盤４０を揺動させたときの右枠杆４７の揺動軌跡に合わせて切り欠かれており、裏セット盤４０を外枠１０の内方に揺動させたときに、被係止部材１７２の支軸プレート部１７２ｂが切り欠き部１３ｂの内面に沿うように枠内に進入する。また、上下のヒンジ機構６０Ｕ，６０Ｌに片持ち支持された裏セット盤４０は、その荷重に伴うヒンジ金具の撓みにより右枠杆４７側がわずかに下傾した状態で支軸プレート部１７２ｂが枠内に進入する。
【００５２】
このため、裏セット盤４０を外枠１０の内方に揺動させると、被係止部材１７２は、図１４（ａ）に示すように、まず支軸プレート部１７２ｂが切り欠き部１３ｂの表面とフックプレート部１７１ｂとの間に進入し、支軸プレート部に固着された係合軸部１７２ｃが上向きのガイド縁面１７１ｄに当接する。そこで、裏セット盤４０を外枠１０の枠内に向けて押圧すると、係合軸部１７２ｃがガイド縁面１７１ｄに乗り上げるように係合して滑り、裏セット盤４０の右枠杆側をわずかに上動させながら外枠内に移動する。そして、係合軸部１７２ｃがガイド縁面１７１ｄの上端を越えると、今度は係合軸部１７２ｃが係止溝１７１ｃに落入するように係合し、裏セット盤４０が引き込まれるように揺動して係止溝１７１ｃの下端部に係合軸部１７２ｃがかみ合い係合する。
【００５３】
こうして係止部材１７１と被係止部材１７２とが上下にかみ合い係合すると、係止溝１７１ｃと係合軸部１７２ｃとの係合によって裏セット盤４０が前後方向に係止され、また支軸プレート部１７２ｂがフックプレート部１７１ｂと切り欠き部１３ｂとの間に挟持されて左右方向に係止される。これにより、裏セット盤４０は、この裏セット盤４０の大部分が外枠１０の枠内に収容された状態で前後および左右の両方向に移動が規制され、図４に示した開放姿勢に係止保持される。
【００５４】
このため、遊技盤３０の後面側の保守作業や裏セット盤４０の前面側の保守作業を、裏セット盤４０が閉鎖方向に揺動してこない安定した開放姿勢で行うことができる。また、裏セット盤４０の大部分が外枠１０の枠内に収容されて開放保持されるため、遊技盤３０の後面と裏セット盤４０の前面との間に広い作業スペースを確保することができ、上記各保守作業を余裕を持って容易に行うことができる。
【００５５】
一方、保守作業を終了して裏セット盤４０の開放姿勢を解除するには、裏セット盤４０の右側部分を軽く持ち上げて被係止部材１７２を上動させ、係合軸部１７２ｃと係止溝１７１ｃとのかみ合い係合を解除させて、裏セット盤４０を手前に引き出せばよい。そして適当な開放角度位置で上下のヒンジ金具を先端側係合位置に変位させて揺動閉止させ、あとはロックレバー２５を回動してロック操作することで裏セット盤４０が閉鎖姿勢に保持される。
【００５６】
従って、以上のような開放保持機構を備えたパチンコ機ＰＭでは、裏セット盤４０を外枠１０の内方に押圧することで裏セット盤４０を開放保持させることができ、また、開放姿勢の裏セット盤４０を軽く持ち上げて前方に引き出すことで開放保持状態を解除することができる。このため、裏セット盤４０を開放保持および解除させるために裏セット盤４０と外枠１０との隙間に指を差し入れたりレバー操作したり等の煩雑な操作を行う必要がなく、作業性が良好な開放保持機構を提供することができる。
【００５７】
次に、本発明に係る第２実施例の開放保持機構ＯＳ２について図１５〜図１７の各図を参照して説明する。この開放保持機構ＯＳ２は、例えば、外枠１０の枠サイズに対して裏セット盤４０が幅寸法が比較的大型な場合や、低コストに開放保持機構を実現しようとする場合等に好適な構成例として示す。ここで、図１５は開放保持機構ＯＳ２により裏セット盤４０を開放保持した状態のパチンコ機の平面図、図１６はこの開放保持機構における係合連結構造２７０を斜め前方から見た斜視図、図１７は係合連結構造２７０の係合過程を示す側面図である。なおパチンコ機の全体的な構成は既述したパチンコ機ＰＭと同様であるため、同一部分に同一番号を付して重複説明を省略し、以下差異のあるヒンジ機構６５および係合連結構造２７０について説明する。
【００５８】
この開放保持機構ＯＳ２におけるヒンジ機構６５（６５Ｕ，６５Ｌ）は、全体としては図５に示したヒンジ機構６０（６０Ｕ，６０Ｌ）と同様に、前枠２０の後面側にネジ固定された上下の前枠側ヒンジ金具６１，６１と、裏セット盤３０の前面側にネジ固定された上下の裏セット盤側ヒンジ金具６２，６２とからなり、これらのヒンジ金具の嵌合によるヒンジ機構である。
【００５９】
一方、このヒンジ機構６５における裏セット盤側ヒンジ金具６２では、前述した長孔状のピン係合溝（６２ｃ）を有さず、ヒンジプレート部６２ｂには軸ピン６１ｃの外径よりもわずかに大きめの内径を有する円形の軸受孔が形成されている。すなわち、このヒンジ機構６５は、上下一対の前枠側ヒンジ金具および裏セット盤側ヒンジ金具の軸ピンと軸受孔との嵌合いによる一般的な嵌合ヒンジ形態であり、裏セット盤４０はヒンジ機構６０のようにスライド移動することなく横開き開閉および着脱可能に支持される。
【００６０】
このため、前枠２０を外枠１０の前方に開放し、裏セット盤４０を前枠２０の後方に開いて外枠１０に向けて開放すると、裏セット盤４０の揺動端部側、一般的には球貯留タンク４１の後方壁面が右枠板１３の前端面に当接する（図１５を参照）。そこで、本開放保持機構ＯＳ２では、裏セット盤の球貯留タンク４１および外枠１０に、裏セット盤４０が開放された状態で上下方向にかみ合い係合可能な外枠側の係止部材７１と裏セット盤側の被係止部材２７２とからなる係合連結構造２７０を設けている。
【００６１】
この係合連結構造２７０における係止部材７１は、既に図９〜図１２を参照して説明した係止部材７１と同様であり、右枠板１３における切り欠き部１３ｃの所定位置に穿設された下穴に打ち込まれ、フランジ部７１ｂの座面と切り欠き部１３ｃの表面との間に係合軸部７１ｃを視認可能な一定間隔をおいた打ち込み高さに固定される。
【００６２】
被係止部材２７２は、ネジ挿通孔が穿設された平板状のベース部２７２ａ、ベース部２７２ａの右側縁の一部が折り曲げられて後方に突出するフックプレート部２７２ｂ、フックプレート部２７２ｂに下方に開いて形成された係止溝２７２ｃ、フックプレート部２７２ｂの後端部と係止溝２７２ｃとの間に下向き斜面状に形成されたガイド縁面２７２ｄ、ベース部２７２ａの上部が球貯留タンク４１の壁面形状に合わせてコの字状に折り返されベース部と平行に延びる挟持辺部２７２ｆ、挟持辺部２７２ｆの下部が球貯留タンク４１の底面に合わせて折り曲げられタンク後壁面の補強機能とタンク内に貯留された遊技球のアース機能とを兼ね備えたアース辺部２７２ｇなどからなり、例えば板厚１〜１．５ｍｍ程度のステンレス鋼板を打ち抜きおよび曲げ成形して形成される。なお、被係止部材２７２は詳細図示省略するアース線で所要のアース端子に接続されている。
【００６３】
球貯留タンク４１における後壁面の所定位置には、ベース部２７２ａに穿設された左右のネジ挿通孔と整合する円筒状のネジボス４１ａが一体成型されている。被係止部材２７２は、ベース部２７２ａと挟持辺部２７２ｆとで球貯留タンク４１の後壁面および左右のネジボス４１ａを挟持するように嵌着し、アース辺部２７２ｇをタンク底面に密接させて、左右のネジ挿通孔からネジボス４１ａにネジ７９を螺合締結することで球貯留タンク４１の後壁面に固定される。
【００６４】
なお、係合軸部７１ｃと係止溝２７２ｃとの関係では、前述した各実施例と同様に係止溝２７２ｃの溝幅が係合軸部７１ｃの軸径と同一若しくはわずかに大きめに設定され、係止溝２７２ｃの上端位置および係合軸部７１ｃの高さ位置は、係止溝２７２ｃの上端部が係合軸部７１ｃと係合したときに、この係合連結構造２７０と他側縁側のヒンジ機構６５とで、裏セット盤４０が左右水平に支持される高さ位置に設定されている。
【００６５】
また右枠板１３に形成された切り欠き部１３ｃは、被係止部材２７２のフックプレート部２７２ｂが進入する高さ位置に合わせて部分的に、かつ一般的なルータ工具を用いて枠板面と平行に（枠板面と直交方向に一定の切り込み深さで）切り欠かかれている。一方、フックプレート部２７２ｂは、図１５に示すようにタンク部材４１の後壁面を右枠板１３の前面に当接させたときの、外枠に対するタンク後壁面の相対傾斜角に合わせて先端側が屈曲成形されており、裏セット盤４０を開放してフックプレート部２７２ｂを外枠１０の内方に進入させたときに、フックプレート先端部が切り欠き部１３ｃと平行に（係合軸部７１ｃと直角に）進入するように構成されている。
【００６６】
このため、裏セット盤４０を外枠方向に揺動させると、フックプレート先端部が切り欠き部１３ｃの内壁面に沿って、切り欠き部１３ｃとフランジ部７１ｂとの間に進入し、図１７（ａ）に示すようにフックプレート部前方の下向きのガイド縁面２７２ｄが係合軸部７１ｃの外周面に当接する。そこで、裏セット盤４０を外枠方向に押圧すると、ガイド縁面２７２ｄが係合軸部７１ｃに乗り上げるように係合して滑り、裏セット盤４０の右枠杆側をわずかに上動させながら外枠内方に移動する。そして、ガイド縁面２７２ｄの端部が係合軸部７１ｃの上端を越えると、今度は係止溝２７２ｃの溝面が係合軸部７１ｃと係合し、裏セット盤４０が引き込まれるように揺動して係合軸部７１ｃと係止溝２７２ｃの上端部とがかみ合い係合する。
【００６７】
こうして係止部材７１と被係止部材２７２とが上下にかみ合い係合すると、係合軸部７１ｃと係止溝２７２ｃとの係合によって裏セット盤４０が前後方向に係止され、またフックプレート部２７２ｂがフランジ部７１ｂと切り欠き部１３ｃとの間に挟持されて左右方向に係止される。これにより、裏セット盤４０は前後および左右の両方向に移動が規制され、図１５に示す開放姿勢に係止保持される。
【００６８】
このため、遊技盤３０の後面側の保守作業や裏セット盤４０の前面側の保守作業を、裏セット盤４０が閉鎖方向に揺動してこない安定した開放姿勢で行うことができる。また、本構成の開放保持機構ＯＳ２では、裏セット盤４０を介して前枠２０の揺動も規制されるため、安定した開放姿勢で各保守作業を容易に行うことができる。
【００６９】
一方、保守作業を終了して裏セット盤４０の開放姿勢を解除するには、裏セット盤４０の右側部分を軽く持ち上げて被係止部材２７２を上動させ、係止溝２７２ｃと係合軸部７１ｃとのかみ合い係合を解除させて、裏セット盤４０を手前に引き出せばよい。そして裏セット盤４０を前枠２０側に揺動閉止させ、あとはロックレバー２５を回動してロック操作することで裏セット盤４０が閉鎖姿勢に保持される。
【００７０】
従って、以上説明した開放保持機構ＯＳ２を備えたパチンコ機においても、裏セット盤４０を外枠１０方向に押圧することで裏セット盤４０を開放保持させることができ、また、開放姿勢の裏セット盤４０を軽く持ち上げて前方に引き出すことで開放保持状態を解除することができる。このため、裏セット盤４０を開放保持および解除させるために煩雑な操作を行う必要がなく、作業性が良好な開放保持機構を提供することができる。
【００７１】
また開放保持機構ＯＳ２では、ヒンジ機構や外枠の構成を簡明化して低コストに開放保持機構を実現することができる。さらに、既存の外枠に係止部材７１を打ち込み、係止部材７１の打ち込み位置と整合する被係止部材を取着した球貯留タンクに交換することで、開放保持機構を有しない既設のパチンコ機に開放保持機構を付設し作業性を改善することも可能である。
【００７２】
なお、以上では、係合連結構造を外枠１０および裏セット盤４０の上下中間部または上部に設けた例を示したが、配設する高さ位置は任意であり、例えば外枠１０および裏セット盤４０の下部に設けてもよい。また、実施例ごとに係止部材と被係止部材との構成例を示したが、第１実施例の説明から明らかなように、係止部材と被係止部材とが上下にかみ合い係合可能な形態であれば、係合軸部と係止溝との配置は外枠側および裏セット盤側のいずれであってもよく、上下のかみ合い形態は、ヒンジ金具の弾性や裏セット盤の撓みを利用して被係止部材が係止部材の下側に沈み込んで係合するような形態であってもよい。なお、実施例では遊技盤３０がヒンジ機構５０Ｕ，５０Ｌにより前枠２０の後方に横開き開閉および着脱可能に支持される形態のパチンコ機に適用した例を示したが、ヒンジ機構を有しない形態のパチンコ機や、遊技盤が前枠の前方から着脱される形態のパチンコ機についても同様に適用し同様の効果を得ることができる。
【００７３】
【発明の効果】
以上説明したように、本発明では、固定保持用の外枠に前方に横開き開閉可能に組み付けられた前枠と、前枠に後方に横開き開閉可能に組み付けられて遊技提供時に遊技盤の後面側を覆って閉止保持される裏セット盤とを備えた遊技機において、前枠が外枠の前方に開放され裏セット盤が前枠の後方に開放された状態で上下方向にかみ合い係合可能な外枠側の係止部材と裏セット盤側の被係止部材とからなる係合連結構造を設け、前枠を外枠の前方に開放し裏セット盤を前枠の後方に開放して裏セット盤を外枠方向に押圧したときに、被係止部材が係止部材に対して相対移動して上下にかみ合い係合し、裏セット盤が開放姿勢に係止保持されるように開放保持機構を構成する。
【００７４】
このため、開放した裏セット盤が遊技盤の後面側の保守作業中に閉鎖方向に揺動してきたり、裏セット盤自体の保守作業中に開閉方向に揺動したりすることがなく、上記各種の保守作業を安定した開放姿勢で行うことができる。また、本構成の開放保持機構では、裏セット盤を外枠の内方に押圧したときに裏セット盤側の被係止部材が外枠側の係止部材に対して相対移動して上下にかみ合い係合し裏セット盤が自動的に開放姿勢に係止保持される。一方、保守作業を終了して開放保持状態を解除するには、裏セット盤を係合姿勢と上下反対方向に軽く押圧して係止部材と被係止部材とのかみ合い係合を解除させ、裏セット盤を前方に引き出して揺動させればよい。このため、裏セット盤を開放保持させる、あるいは開放保持を解除するために裏セット盤と外枠との隙間に指を差し入れたりレバー操作したり等の煩雑な操作を行う必要がなく、簡単な操作で作業性の良好な開放保持機構を提供することができる。
【図面の簡単な説明】
【図１】本発明に係る開放保持機構を適用した遊技機の一例として示すパチンコ機の正面図である。
【図２】上記パチンコ機の背面図である。
【図３】外枠を取り外し裏セット盤を開放した状態におけるパチンコ機の背面図である。
【図４】第１実施例の開放保持機構により裏セット盤を開放保持した状態のパチンコ機の平面図である。
【図５】第１実施例の開放保持機構におけるヒンジ機構を示し、裏セット盤を開放した状態におけるヒンジ機構の背面図である。
【図６】裏セット盤を閉鎖した状態における上記ヒンジ機構の平面図である。
【図７】裏セット盤を開放して前枠方向にスライドさせた状態における上記ヒンジ機構の平面図である。
【図８】図６および図７におけるヒンジ機構の位置状態を拡大して示す平面図である。
【図９】第１実施例の開放保持機構における係合連結構造を斜め前方から見た斜視図である。
【図１０】裏セット盤を開放保持状態にしたときの球貯留タンクの高さ位置から見た上記係合連結構造の平面図である。
【図１１】裏セット盤を開放保持状態にしたときの上記係合連結構造の高さ位置の平面断面図である。
【図１２】上記係合連結構造の係合過程を示す側面図である。
【図１３】第１実施例の開放保持機構における係合連結構造の他の実施例を示す斜視図である。
【図１４】上記他の実施例の係合連結構造の係合過程を示す側面図である。
【図１５】第２実施例の開放保持機構により裏セット盤を開放保持した状態のパチンコ機の平面図である。
【図１６】第２実施例の開放保持機構における係合連結構造を斜め前方から見た斜視図である。
【図１７】上記係合連結構造の係合過程を示す側面図である。
【符号の説明】
ＯＳ１  開放保持機構（第１実施例）
ＯＳ２  開放保持機構（第２実施例）
ＰＡ  遊技領域
ＰＭ  パチンコ機
３（３Ｕ，３Ｌ）  ヒンジ機構
４  施錠装置
５  ガラス扉
６  上球皿
７  下球皿
８  発射ハンドル
９  遊技球発射装置
１０  外枠
１１  上枠板
１２  左枠板
１３  右枠板（１３ｂ  切り欠き部、１３ｃ  切り欠き部）
１４  下枠板
２０  前枠
２１  収容枠
２３  閉鎖クランプ
２５  ロックレバー
３０  遊技盤
３１  化粧板
３４  入賞具
３５  画像表示装置
３７  アウト口
４０  裏セット盤
４１  球貯留タンク（４１ａ  ネジボス）
４２  タンクレール
４４  球払出装置
４５  球払出通路
４６  遊技済み球排出通路
４７  右枠杆（４７ａ  ネジボス）
５０（５０Ｕ，５０Ｌ）  ヒンジ機構
６０（６０Ｕ，６０Ｌ）  ヒンジ機構
６１  前枠側ヒンジ金具
（６１ａ  固定フランジ部、６１ｂ  ヒンジプレート部、６１ｃ  軸ピン、
６１ｄ  位置決めピン孔）
６２  裏セット盤側ヒンジ金具
（６２ａ  固定フランジ部、６２ｂ  ヒンジプレート部、６２ｃ  ピン係合溝、）
６３ｄ  位置決め突起
６４ａ  位置決めリブ
６４ｂ  ネジボス
６５（６５Ｕ，６５Ｌ）  ヒンジ機構
６８  サラ小ネジ
７０  係合連結構造（第１実施例）
７１  係止部材
（７１ａ  ネジ部、７１ｂ  フランジ部、７１ｃ  係合軸部）
７２  被係止部材
（７２ａ  ベース部、７２ｂ  フックプレート部、７２ｃ  係止溝、
７２ｄ  ガイド縁面）
７８  サラ小ネジ
７９  ネジ
１７０係合連結構造（第１実施例の変更例）
１７１  係止部材
（１７１ａ  固定脚部、１７１ｂ  フックプレート部、１７１ｃ  係止溝、
１７１ｄ  ガイド縁面）
１７２  被係止部材
（１７２ａ  ベース部、１７２ｂ  支軸プレート部、１７２ｃ  係合軸部）
１７７  ネジ
２７０  係合連結構造（第２実施例）
２７２  被係止部材
（２７２ａ  ベース部、２７２ｂ  フックプレート部、２７２ｃ  係止溝、
２７２ｄ  ガイド縁面、２７２ｆ  挟持辺部、２７２ｇ  アース辺部）
【図１】
2004344207.tif 000003
【図２】
2004344207.tif 000004
【図３】
2004344207.tif 000005
【図４】
2004344207.tif 000006
【図５】
2004344207.tif 000007
【図６】
2004344207.tif 000008
【図７】
2004344207.tif 000009
【図８】
2004344207.tif 000010
【図９】
2004344207.tif 000011
【図１０】
2004344207.tif 000012
【図１１】
2004344207.tif 000013
【図１２】
2004344207.tif 000014
【図１３】
2004344207.tif 000015
【図１４】
2004344207.tif 000016
【図１５】
2004344207.tif 000017
【図１６】
2004344207.tif 000018
【図１７】
2004344207.tif 000019